(57)【要約】【課題】Ｘ線受光部を水平に保持することができる撮影スタンドと、被検者を載置するテーブルを組み合わせて臥位撮影を行うとき、天板フローティング機構を有しない安価な撮影システムでは、テーブルを車輪により手動で移動させて撮影の位置決めを行わねばならないため、位置決めに手間と労力を要していた。【解決手段】撮影スタンド１の天板５Ａと同じ高さにガイドローラ７を取り付け、天板５Ａの側面がガイドローラ７の２個のローラに接する位置までテーブル５を移動させると、天板５Ａの中心線５ＣがＸ線受光部２のほぼ中心上を通るように構成配置する。その後天板５Ａの側面が２個のローラに接した状態でテーブル５を長さ方向に移動させて長さ方向の位置決めを行う。【選択図】          図１
2009028116.tif 000002
【特許請求の範囲】
【請求項１】
天板上に被検者を載置し車輪により床面を移動可能な検診台と、床面に垂設されＸ線受光部を前記天板の下方で保持する撮影スタンドと、前記被検者の上方位でかつ前記Ｘ線受光部と対向配置されたＸ線管を有するＸ線撮影装置において、前記撮影スタンドに２個のローラを前記床面と平行であり、しかも前記天板の側面が摺動可能な高さに取り付けたことを特徴とするＸ線撮影装置。
【請求項２】
回転方向を指定する回転方向指定手段と回転を指示する回転指示手段の指示に従って２個のローラを回転駆動する駆動手段を有することを特徴とする請求項１記載のＸ線撮影装置。
【請求項３】
回転方向指定手段および回転指示手段が択一的に押される２個のスイッチであることを特徴とする請求項２記載のＸ線撮影装置。
【請求項４】
回転方向指定手段が択一的に押される２個のスイッチ、または１個のスイッチが押されるごとに２値的な記憶を反転させる記憶装置であり、回転指示手段が撮影スタンドに前後動可能に保持され、バネにより前方に押し出されている２個のローラが天板に押されて後退することにより押されるスイッチであることを特徴とする請求項２記載のＸ線撮影装置。
【発明の詳細な説明】
【技術分野】
【０００１】
本発明はＸ線撮影装置に関する。
【背景技術】
【０００２】
Ｘ線立位撮影は図６（ａ）に示すように、撮影スタンド１に上下動可能に支持された受光部保持部１Ａに取り付けられた、フラットパネル型Ｘ線検出器またはＸ線フィルムを内蔵したカセッテにより構成されるＸ線受光部２を撮影に適した高さで静止させ、その前に被検者４を配置した後、Ｘ線受光部２に対向配置されたＸ線管３から被検者４にＸ線を照射することにより行われる。
【０００３】
このような撮影スタンド１の中には、受光部保持部１Ａにチルト機構を有することにより、図６（ｂ）に示すようにＸ線受光部２を水平に保持することができるものもある。このような撮影スタンド１を図６（ｃ）に示すように、車輪５Ｂを有し、手動で移動させることが可能なテーブル５と組み合わせて使用する場合、テーブル５の天板５Ａ上に被検者４を載置して、被検者４の上方に配置したＸ線管３からＸ線を照射することにより臥位の撮影を行うことができる。
【０００４】
上述のように被検者４を天板５Ａ上に載置して臥位撮影を行う場合、撮影したい部位がＸ線照射野に入るように被検者４を移動させなければならない。このような撮影の位置決めを容易に行うためにテーブル５についてはいろいろな工夫が行われている（例えば特許文献１参照）。その中でもテーブル５上で天板５Ａのみを長さ方向および幅方向に手動でスライドできる、いわゆる天板フローティング機構が組み込まれたテーブル５が用いられることが多い。
【特許文献１】特表２００３−５２７９２１号公報
【発明の開示】
【発明が解決しようとする課題】
【０００５】
図６（ｃ）に示すように、Ｘ線受光部２を水平に保持することができる撮影スタンド１と被検者４を載置するテーブル５を組み合わせて被検者４の臥位撮影を行うとき、上述の天板フローティング機構等をテーブル５に組み込むことにより撮影の位置決めを容易に行うことができるが、これらの機構を組み込むことはテーブル５のコストアップを伴うため安価な撮影システムには採用できなかった。そのため図６（ｃ）に示すように、車輪５Ｂを有し、手動で全体を移動させることが可能なテーブル５が用いられているが、図５に示すように、操作者６は天板５Ａを挟んで撮影スタンド１と反対の側から、天板５Ａをつかんでテーブル５を移動させて位置決めを行う。なお図５において図６と同じ符号で示す部品については図６と同じ機能を有するものであり説明は省略する。
【０００６】
このとき操作者６はまずテーブル５を前後に移動させてテーブル５の幅方向の位置決めを行った後、左右に移動させて長さ方向の位置決めを行うが、長さ方向の位置決めを行うとき前後に移動させることなく左右のみに移動させることは事実上困難なため、長さ方向の位置決め後、再度幅方向の位置決めをやり直さねばならない。そしてより正確な位置決めのためには両方向の移動を何回か繰り返し行う必要があり、このことは操作者６にとって面倒なことである。本発明は撮影のための位置決めを容易に行うことができる安価な撮影システムを提供するためのものである。
【課題を解決するための手段】
【０００７】
請求項１記載の考案は上記の目的を達成するために、天板上に被検者を載置し車輪により床面を移動可能な検診台と、床面に垂設されＸ線受光部を前記天板の下方で保持する撮影スタンドと、前記被検者の上方位でかつ前記Ｘ線受光部と対向配置されたＸ線管を有するＸ線撮影装置において、前記撮影スタンドに２個のローラを前記床面と平行であり、しかも前記天板の側面が摺動可能な高さに取り付けたＸ線撮影装置である。
【０００８】
請求項２記載の考案は上記の目的を達成するために、回転方向を指定する回転方向指定手段と回転を指示する回転指示手段の指示に従って２個のローラを回転駆動する駆動手段を有する請求項１記載のＸ線撮影装置である。
【０００９】
請求項３記載の考案は上記の目的を達成するために、回転方向指定手段および回転指示手段が択一的に押される２個のスイッチである請求項２記載のＸ線撮影装置である。
【００１０】
請求項４記載の考案は上記の目的を達成するために、回転方向指定手段が択一的に押される２個のスイッチ、または１個のスイッチが押されるごとに２値的な記憶を反転させる記憶装置であり、回転指示手段が撮影スタンドに前後動可能に保持され、バネにより前方に押し出されている２個のローラが天板に押されて後退することにより押されるスイッチである請求項２記載のＸ線撮影装置である。
【発明の効果】
【００１１】
本発明により、操作者は天板を撮影スタンドに取り付けられたローラに押し付けることにより天板の幅方向の位置決めをした後、天板をローラに押し付けた状態でテーブルを天板の長さ方向に移動させることにより、幅方向の位置を保ったままで長さ方向の位置決めを行うことができるので、従来の方法に比べて位置決めが容易になる。また本発明の装置は天板フローティング機構等を組み込んだ装置に比べて安価に製造することができる。
【発明を実施するための最良の形態】
【００１２】
本発明の実施例について図１および図２により説明する。図１は本発明の撮影システムにより臥位撮影の位置決めを行う様子を示す図であり、図１（ａ）はその上面図、図１（ｂ）はその側面図である。撮影スタンド１はフラットパネル型Ｘ線検出器またはＸ線フィルムを内蔵したカセッテにより構成されるＸ線受光部２を保持する受光部保持部１Ａを上下動可能に支持して立位撮影を行うことができる。
【００１３】
しかも受光部保持部１Ａにチルト機構を有することにより、図１（ｂ）に示すようにＸ線受光部２を水平に保持して、車輪５Ｂにより操作者６が手動で移動させることが可能なテーブル５と組み合わせ、テーブル５の天板５Ａ上に被検者４を載置して、被検者４の上方に配置したＸ線管３からＸ線を照射することにより臥位の撮影を行うことができる。なお後述するガイドローラ７はローラ７Ｃが天板５Ａの側面と接触可能な高さになるように撮影スタンド１に取り付けられている。
【００１４】
図２はガイドローラ７の構成例を示す図である。ガイドローラ７は撮影スタンド１に取り付けられる、断面がコの字型の枠７Ａと、枠７Ａの前端部に上下に取り付けられた２本の軸７Ｂにそれぞれ回転可能に支持された２個のローラ７Ｃにより構成される。
【００１５】
操作者６は図１（ａ）に示すように被検者４を天板５Ａの中央部に載置した後、天板５Ａの側面がガイドローラ７の２個のローラ７Ｃに接する位置までテーブル５を移動させる。このとき天板５Ａの中心線５ＣがＸ線受光部２の中心上に来るように、Ｘ線受光部２およびガイドローラ７の配置が構成されている。従ってこの状態で被検者４の幅方向の位置決めは終了し、その後天板５Ａの側面がガイドローラ７の２個のローラ７Ｃに接した状態でテーブル５を長さ方向に移動させることにより、幅方向の位置を保ったままで長さ方向の位置決めを行って、位置決めを終了する。この方法により、従来のように位置決めのために幅方向および長さ方向のテーブル５の移動を繰り返し行う必要がなくなる。
【００１６】
次に本発明の第二の実施例を説明する。第二の実施例では上記実施例のガイドローラ７の代わりに、図３に上面図として示すモータ駆動機構を有するガイドローラ８を撮影スタンド１（図３には示していない）に取り付けるものである。
【００１７】
ガイドローラ８はガイドローラ７と同じく、撮影スタンド１に固定される、断面がコの字型の枠８Ａと、枠８Ａの前端部に上下に取り付けられた２本の軸８Ｂにそれぞれ回転可能に支持された２個のローラ８Ｃにより構成される。そしてガイドローラ８ではさらに枠８Ａ内にモータ９が取り付けられ、その回転軸に取り付けられて回転する回転円板９Ａと、２個のローラ８Ｃそれぞれの上部に取り付けられ一体となって回転する回転円板８Ｄをベルト１０で結合することにより、２個のローラ８Ｃをモータ９により回転駆動できるようにしている。なお１１はベルト１０のたるみをなくすためのローラであり、制御装置１２はフットスイッチ１３の右回転スイッチ１３Ａ、または左回転スイッチ１３Ｂのいずれかが踏まれたとき、モータ９を右または左に回転させる回転駆動制御装置である。
【００１８】
操作者６（図３には示していない）はテーブル５（図３には示していない）の天板５Ａ（図３には示していない）の側面をガイドローラ８の２個のローラ８Ｃに押し当てて幅方向の位置決めを行った後、その状態で、右回転スイッチ１３Ａ、または左回転スイッチ１３Ｂのいずれかを踏むことにより、モータ９の回転駆動力を利用してテーブル５を長さ方向に移動させることができるので、操作者６は長さ方向の位置決めをより少ない力で行うことができる。なおこの例の場合フットスイッチ１３の代わりに手で操作する押しボタンスイッチを２個用いてもよい。
【００１９】
次に本発明の第三の実施例を説明する。上述の第二の実施例ではモータ駆動機構を有するガイドローラ８を撮影スタンド１に固定して取り付けたが、第三の実施例では図４に上面図で示すように、ガイドローラ８を２本のレール１４により前後動可能に撮影スタンド１に取り付け、さらに撮影スタンド１と枠８Ａの間に取り付けた２本のバネ１５の反発力により、枠８Ａが撮影スタンド１に取り付けたマイクロスイッチ１６を押さない位置までガイドローラ８を前進させている。なお制御装置１７はマイクロスイッチ１６が枠８Ａにより押されたとき、フットスイッチ１８の右回転スイッチ１８Ａ、または左回転スイッチ１８Ｂのいずれが踏まれているかにより指定される回転方向にモータ９を回転させる回転駆動制御装置である。また図４において図３と同じ符号で示される部品は図３と同一であり詳細な説明は省略する。
【００２０】
操作者６（図４には示していない）はフットスイッチ１８の右回転スイッチ１８Ａ、または左回転スイッチ１８Ｂのいずれかを踏んで回転方向を決めた後、テーブル５（図４には示していない）の天板５Ａ（図４には示していない）の側面をガイドローラ８の２個のローラ８Ｃに押し当てて、モータ９の回転駆動力を利用してテーブル５を長さ方向に移動させることができる。そして天板５Ａが所望の位置に至ったとき、天板５Ａをローラ８Ｃに押し当てるのを止めると、バネ１５の反発力によりガイドローラ８が押し戻され、マイクロスイッチ１６が押されなくなり、テーブル５は長さ方向の移動を停止する。なおこの例の場合フットスイッチ１８の代わりに手で操作する押しボタンスイッチを２個用いてもよい。また右回転スイッチ１８Ａ、左回転スイッチ１８Ｂの代わりに１個のスイッチを用いて、押されるごとに制御装置１７内で回転方向を反転して記憶するようにしてもよい。
【産業上の利用可能性】
【００２１】
本発明はＸ線撮影装置に関する。
【図面の簡単な説明】
【００２２】
【図１】本発明の実施例を説明するための図である。
【図２】ガイドローラの構成例を示す図である。
【図３】本発明の変形実施例を説明するための図である。
【図４】本発明の変形実施例を説明するための図である。
【図５】従来の位置合わせの方法を説明するための図である。
【図６】従来の撮影装置の構成を示す図である。
【符号の説明】
【００２３】
１：撮影スタンド
１Ａ：受光部保持部
２：Ｘ線受光部
３：Ｘ線管
４：被検者
５：テーブル
５Ａ：天板
５Ｂ：車輪
５Ｃ：中心線
６：操作者
７：ガイドローラ
７Ａ：枠
７Ｂ：軸
７Ｃ：ローラ
８：ガイドローラ
８Ａ：枠
８Ｂ：軸
８Ｃ：ローラ
８Ｄ：回転円板
９：モータ
９Ａ：回転円板
１０：ベルト
１１：ローラ
１２：制御装置
１３：フットスイッチ
１３Ａ：右回転スイッチ
１３Ｂ：左回転スイッチ
１４：レール
１５：バネ
１６：マイクロスイッチ
１７：制御装置
１８：フットスイッチ
１８Ａ：右回転スイッチ
１８Ｂ：左回転スイッチ
【図１】
2009028116.tif 000003
【図２】
2009028116.tif 000004
【図３】
2009028116.tif 000005
【図４】
2009028116.tif 000006
【図５】
2009028116.tif 000007
【図６】
2009028116.tif 000008